(57)【要約】【課題】衛星放送において、放送信号追加に起因する問題の発生を低減する。【解決手段】衛星放送受信機は、衛星ＩＦ信号が入力される入力端子１０と、外部へループスルーした衛星ＩＦ信号が出力される出力端子１４と、所定の周波数より高い帯域の信号を通過させるＨＰＦ１３と、左旋周波数に対応した第一チューナ１８と、ＨＰＦ１３と並列に配置され、所定の周波数以下の帯域の信号を通過させるＬＰＦ１６と、右旋周波数に対応した第二チューナ１９と、を備える。そして、入力端子１０と出力端子１４との間に配置され、入力端子１０からループスルーした衛星ＩＦ信号とＬＰＦ１６からの出力信号とを選択的に出力するスイッチ１５を備える。【選択図】図１
2018107639.tif 000002
【特許請求の範囲】
【請求項１】
放送信号が入力される第一の端子と、
前記第一の端子に接続され、外部へループスルーした前記放送信号が出力される第二の端子と、
前記第一の端子に接続され、所定の周波数より高い帯域の信号を通過させる第一のフィルタと、
前記第一のフィルタに接続され、左旋周波数に対応した第一のチューナと、
前記第一の端子に接続され、前記第一のフィルタと並列に配置され、前記所定の周波数以下の帯域の信号を通過させる第二のフィルタと、
前記第二のフィルタに接続され、右旋周波数に対応した第二のチューナと、を備え、
前記第一の端子と前記第二の端子との間に配置され、前記第一の端子からループスルーした前記放送信号と前記第二のフィルタからの出力信号とを選択的に出力するスイッチを備える、衛星放送受信機。
【請求項２】
前記スイッチは、前記放送信号または前記第二のフィルタからの出力信号を受信する外部受信機から出力される機器間信号に基づいて、前記放送信号および前記第二のフィルタからの出力信号の一方を選択する、
請求項１記載の衛星放送受信機。
【発明の詳細な説明】
【技術分野】
【０００１】
本開示は、衛星放送受信機に関する。
【背景技術】
【０００２】
特許文献１は、衛星放送受信機において、９０ＭＨｚ〜７７０ＭＨｚ帯の地上波放送信号を抑制するために、衛星放送受信チューナの前段にハイパスフィルタを備える。このように、衛星放送受信機においては、衛星放送受信チューナに入力される地上波放送信号のパワーを抑制することによって、衛星放送受信チューナへの地上波放送信号の影響を抑制している。
【０００３】
特許文献２は、入力された信号の周波数を２１５０ＭＨｚ以下に一旦変換して出力する周波数変換回路の後に、ローパスフィルタを置き、そのローパスフィルタの出力を既存のコンバータＩＣ（Ｉｎｔｅｇｒａｔｅｄ  ｃｉｒｃｕｉｔ）で再度周波数変換を行う事により、所望の中間周波数信号を受信でき従来に比べて広帯域な衛星放送受信チューナを提供する。
【先行技術文献】
【特許文献】
【０００４】
【特許文献１】特開２０１４−１７１０５８号公報
【特許文献２】特開２０１６−０６３３７０号公報
【発明の概要】
【発明が解決しようとする課題】
【０００５】
衛星放送受信機能を有するテレビジョン受像機は近年テレビジョンパネルにＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｅｃｅｎｃｅ）を用いて薄型の装置が多い。そのため、テレビジョン受像機に使用される部品も小型、薄型された物を使う。
【０００６】
衛星放送において、超高精細な映像技術を活用した実用放送（いわゆる４Ｋ・８Ｋ実用放送）の開始が予定されている。４Ｋ・８Ｋ実用放送においては、中間周波数信号の周波数帯域として、従来の衛星放送の中間周波数の周波数帯域に加えて、当該周波数帯域より周波数が高い２２２４ＭＨｚ〜３２２４ＭＨｚ帯の使用が予定されている。このため、４Ｋ・８Ｋ実用放送の開始後には、衛星放送用チューナは、従来の中間周波数信号に加えて、４Ｋ・８Ｋ実用放送用の中間周波数信号を受信する。
【０００７】
本開示は、部品点数を少なくし小型にすることができ、当該衛星放送受信機の放送信号（２２２４ＭＨｚ〜３２２５ＭＨｚ）追加に起因する問題の発生を低減すると共に、当該衛星放送受信機から出力される放送信号を受信する外部受信機における、当該放送信号の高周波数帯域の部分に起因する問題の発生を低減できる衛星放送受信機を提供する。
【課題を解決するための手段】
【０００８】
本開示における衛星放送受信機は、放送信号が入力される第一の端子と、第一の端子に接続され、外部へループスルーした放送信号が出力される第二の端子と、第一の端子に接続され、所定の周波数より高い帯域の信号を通過させる第一のフィルタと、第一のフィルタに接続され、左旋周波数に対応した第一のチューナと、第一の端子に接続され、第一のフィルタと並列に配置され、所定の周波数以下の帯域の信号を通過させる第二のフィルタと、第二のフィルタに接続され、右旋周波数に対応した第二のチューナとを備える。そして、第一の端子と第二の端子との間に配置され、第一の端子からループスルーした放送信号と第二のフィルタからの出力信号とを選択的に出力するスイッチを備える。
【発明の効果】
【０００９】
本開示における衛星放送受信機は、当該衛星放送受信機の放送信号（２２２４ＭＨｚ〜３２２５ＭＨｚ）追加に起因する問題の発生を低減し部品点数を少なくした衛星放送受信機を提供する。
【図面の簡単な説明】
【００１０】
【図１】実施の形態１に係る第一受信機の機能構成を示すブロック図である。
【図２】実施の形態１に係るＨＰＦ及びＬＰＦの周波数特性を示すグラフである。
【図３】実施の形態１に係る第一受信機の使用態様の一例を示す配線図である。
【図４】実施の形態１に係る第一受信機における放送信号の処理方法を示すフローチャートである。
【図５】実施の形態２に係る第一受信機の機能構成を示すブロック図である。
【図６】実施の形態２に係る第一受信機における放送信号の処理方法を示すフローチャートである。
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、添付図面および以下の説明は、当業者が本開示を十分に理解するために、提供されるのであって、これらにより特許請求の範囲に記載の主題を限定することは意図されていない。
【００１３】
（実施の形態１）
まず、実施の形態１に係る衛星放送受信機の概要について説明する。
【００１４】
本実施の形態に係る衛星放送受信機は、衛星放送受信アンテナから出力される第一帯域信号及び第一帯域信号より周波数が低い第二帯域信号を含む放送信号を受信する。以下、当該放送信号を便宜的に衛星ＩＦ（Ｉｎｔｅｒｍｅｄｉａｔｅ  Ｆｒｅｑｕｅｎｃｙ）信号ともいう。第一帯域信号は、２２２４ＭＨｚ以上、３２２４ＭＨｚ以下の帯域の信号を含み、第二帯域信号は、１０３２ＭＨｚ以上、２０７１ＭＨｚ以下の帯域の信号を含む。以下、単に「衛星ＩＦ信号」と記載する場合には、帯域制限処理が実行されていない衛星ＩＦ信号、つまり、第一帯域信号及び第二帯域信号を含む衛星ＩＦ信号を意味する。より具体的には、第一帯域信号は、約１２ＧＨｚ帯域のＢＳ（Ｂｒｏａｄｃａｓｔ  Ｓａｔｅｌｌｉｔｅ）左旋円偏波及びＣＳ（Ｃｏｍｍｕｎｉｃａｔｉｏｎ  Ｓａｔｅｌｌｉｔｅ）左旋円偏波にそれぞれ対応する中間周波数の帯域である２２２４ＭＨｚ以上、２６８１ＭＨｚ以下の帯域、及び、２７４８ＭＨｚ以上、３２２４ＭＨｚ以下の帯域の信号を含む。現在計画されている４Ｋ・８Ｋ実用放送においては、中間周波数信号の周波数帯域として、第一帯域信号の使用が予定されている。
【００１５】
一方、第二帯域信号は、ＢＳ右旋円偏波及びＣＳ右旋円偏波にそれぞれ対応する中間周波数の帯域である１０３２ＭＨｚ以上、１４８９ＭＨｚ以下の帯域、及び、１５９５ＭＨｚ以上、２０７１ＭＨｚ以下の帯域の信号を含む。従来のＢＳ放送及びＣＳ放送においては、中間周波数信号の周波数帯域として、第二帯域信号だけが用いられている。
【００１６】
本実施の形態に係る衛星放送受信機は、受信した衛星ＩＦ信号のうち、所定の周波数の信号を選択し、当該選択した信号を復調するチューナの機能を有する。つまり、本実施の形態に係る衛星放送受信機は、従来のＢＳ放送及びＣＳ放送の信号に加えて、４Ｋ・８Ｋ実用放送の信号をも処理する機能を有する。
【００１７】
そのため従来のＢＳ放送及びＣＳ放送の信号に加えて、４Ｋ・８Ｋ実用放送の信号を処理する必要があるためトータルパワーが第一帯域信号の分だけ従来の衛星ＩＦ信号のトータルパワーより増大することにより、相互変調歪みの問題が顕著になるおそれがある。
【００１８】
さらに、本実施の形態に係る衛星放送受信機は、受信した衛星ＩＦ信号を他の機器に出力するループスルー回路を有する。これにより、衛星ＩＦ信号を当該衛星放送受信機だけでなく、他の衛星放送受信機においても受信することができる。
【００１９】
ただし、従来の衛星放送受信機は、従来のＢＳ放送及びＣＳ放送だけに対応しており、４Ｋ・８Ｋ実用放送に対応していない。すなわち、従来の衛星放送受信機は、第二帯域信号を受信するための受信機であり、衛星ＩＦ信号に第二帯域信号だけでなく第一帯域信号が含まれることを想定して設計されていない。そのため、従来の衛星放送受信機が、第一帯域信号及び第二帯域信号を含む衛星ＩＦ信号を受信した場合に問題が発生する可能性がある。例えば、衛星ＩＦ信号のトータルパワーが第一帯域信号の分だけ従来の衛星ＩＦ信号のトータルパワーより増大することにより、相互変調歪みの問題が顕著になるおそれがある。また、従来のＢＳ放送及びＣＳ放送の信号に加えて、４Ｋ・８Ｋ実用放送の信号を処理する本実施の形態の衛星放送受信機においても同様な問題を解決する必要がある。さらに、第一帯域信号の周波数帯域には、ＩＳＭ（Ｉｎｄｕｓｔｒｙ−Ｓｃｉｅｎｃｅ−Ｍｅｄｉｃａｌ）バンド（２．４ＧＨｚ帯）の信号などの妨害源となり得る信号も含まれており、当該信号の従来の衛星放送受信機への影響も懸念される。
【００２０】
本実施の形態に係る衛星放送受信機では、従来の衛星放送受信機に衛星ＩＦ信号を出力する場合に、上記問題が発生することを低減するために、ループスルー回路において、第一帯域信号のパワーを低下させる帯域制限処理を行う機能を有する。
【００２１】
図１に示される第一受信機１は、本実施の形態に係る衛星放送受信機の一例であり、衛星放送受信アンテナから出力される第一帯域信号及び第一帯域信号より周波数が低い第二帯域信号を含む放送信号（衛星ＩＦ信号）を受信する。
【００２２】
以下、図１、図２、図３および図４を用いて、実施の形態１を説明する。
【００２３】
［１−１．構成］
図１は、実施の形態１にかかる衛星放送受信機の一例である第一受信機の機能構成を示すブロック図である。
【００２４】
図１に示される第一受信機１は、本実施の形態にかかる衛星放送受信機の一例であり、衛星放送受信アンテナから出力される衛星ＩＦ信号を受信する第一受信機１は、例えば、テレビジョンチューナ、テレビジョン受像機、録画機などの衛星放送受信機である。
【００２５】
図１に示されるように、第一受信機１は、機能的には、入力端子１０、分配器１１、分配器１２、ＨＰＦ１３、出力端子１４、スイッチ１５、ＬＰＦ１６、分配器１７、第一チューナ１８、第二チューナ１９、操作入力部２０及び第一制御回路２１を備える。
【００２６】
入力端子１０は衛星ＩＦ信号が入力されて当該衛星ＩＦ信号を分配器１１へ出力する。
【００２７】
分配器１１は入力端子１０から衛星ＩＦ信号が入力され当該衛星ＩＦ信号を分配器１２及びスイッチ１５の第一の入力に出力する回路である。分配器１１は衛星ＩＦ信号を増幅する機能と地上デジタル放送信号が送信される９０ＭＨｚから７７０ＭＨｚまでの信号を減衰する機能を有してもよい。
【００２８】
分配器１２は分配器１１から衛星ＩＦ信号が入力され、当該衛星ＩＦ信号をＨＰＦ（Ｈｉｇｈ  Ｐａｓｓ  Ｆｉｌｔｅｒ）１３及びＬＰＦ（Ｌｏｗ  Ｐａｓｓ  Ｆｉｌｔｅｒ）１６に出力する回路である。
【００２９】
ＨＰＦ１３は分配器１２から衛星ＩＦ信号が入力され当該衛星ＩＦ信号に対して低周波数の帯域に対してパワーを低下させる帯域制限処理を実行し、当該帯域制限処理が実行された帯域制限信号を出力する回路である。
【００３０】
出力端子１４は、スイッチ１５で選択された信号が入力され、外部の受信機へ当該選択された信号を出力する。
【００３１】
スイッチ１５は第一の入力として分配器１１からの衛星ＩＦ信号と第二の入力として分配器１７からの帯域制限信号のどちらか一方を選択し出力することができる。当該出力信号は出力端子１４に入力される。スイッチ１５と分配器１１で衛星ＩＦ信号または当該帯域制限信号を選択的に出力するループスルー機能を構成する。スイッチ１５を切り替える技術として、例えばＳＰＤＴ（Ｓｉｎｇｌｅ  ｐｏｌｅ  ｄｏｕｂｌｅ  ｔｈｒｏｗ）があげられる。
【００３２】
ＬＰＦ１６は分配器１２から衛星ＩＦ信号が入力され当該衛星ＩＦ信号に対して高周波数の帯域に対してパワーを低下させる帯域制限処理を実行し、当該帯域制限処理が実行された帯域制限信号を出力する回路である。
【００３３】
分配器１７はＬＰＦ１６から帯域制限信号が入力され、当該帯域制限信号を第二チューナ１９及びスイッチ１５の第二の入力に出力する回路である。
【００３４】
第一チューナ１８はＨＰＦ１３から帯域制限信号が入力され所定の周波数の信号を選択する機能を有する。
【００３５】
第二チューナ１９は分配器１７から帯域制限信号が入力され所定の周波数の信号を選択する機能を有する。
【００３６】
操作入力部２０は、ユーザの操作に基づく操作信号が入力される入力部である。本実施の形態では、操作入力部２０には、スイッチ１５の制御に関する操作信号が入力される。より具体的には、操作入力部には、スイッチ１５によって分配器１１からの衛星ＩＦ信号または第二帯域の信号のみを出力するか否かを指示する操作信号が入力される。操作入力部２０は、入力された操作信号に対応する信号を第一制御回路２１に出力する。操作入力部２０には、例えば、第一受信機１を操作するためのリモートコントローラなどから操作信号が入力される。また、操作入力部２０には、第一受信機１に設けられた切替スイッチをユーザが操作することにより操作信号が入力されてもよい。
【００３７】
第一制御回路２１は、スイッチ１５を制御する処理部である。本実施の形態では、第一制御回路２１は、操作入力部２０からの信号に基づいてスイッチ１５に制御信号を出力する。第一制御回路２１は、当該制御信号を用いてスイッチ１５を制御する。第一制御回路２１は、プロセッサなどを備える処理回路である。
【００３８】
図２は、本実施の形態におけるＨＰＦ１３とＬＰＦ１６が備える各フィルタの周波数特性を示すグラフである。
【００３９】
図２の実線のグラフで示されるように、ＬＰＦ１６は第一帯域における信号のパワーを低下させ、第二帯域における信号のパワーを実質的に低下させない。
【００４０】
一方、図２の破線のグラフで示されるように、ＨＰＦ１３は第二帯域における信号のパワーを低下させ、第一帯域における信号のパワーを実質的に低下させない。
【００４１】
本実施の形態に係る衛星放送受信機の一例である第一受信機１は、以上のような構成を備えることにより、第一受信機１は第二帯域のパワーを低下させた帯域制限信号を第一チューナ１８に供給、第一帯域のパワーを低下させた帯域制限信号を第二チューナ１９に供給するとともにユーザの操作に基づいて、入力された衛星ＩＦ信号のうち実質的に第一帯域信号のパワーだけを選択的に低下させて出力することができる。
【００４２】
［１−２．動作］
以上のように構成された第一受信機１について、その動作を以下説明する。第一受信機１は、入力された衛星ＩＦ信号の受信、および出力信号の選択処理の各動作を行う。以下、それぞれの動作について詳細に説明する。
【００４３】
図３は、本実施の形態における第一受信機１の一例を示す配線図である。
【００４４】
図３に示されるように第一受信機１は衛星放送受信アンテナ３にあるＬＮＢ（Ｌｏｗ  ｎｏｉｓｅ  ｂｌｏｃｋ  ｃｏｎｖｅｒｔｅｒ）３１から出力される衛星ＩＦ信号が入力される。衛星放送受信アンテナ３は約１２ＧＨｚ帯で送られる衛星放送信号を受信する。衛星放送信号はＢＳ右旋円偏波とＣＳ右旋円偏波とＢＳ左旋円偏波とＣＳ左旋円偏波を含む。ＢＳ右旋円偏波とＣＳ右旋円偏波は従来のＩＳＤＢ−Ｓ放送で使用されている周波数と送信方式である。４Ｋ・８Ｋ実用放送では従来のＢＳ右旋円偏波とＣＳ右旋円偏波に加えてＢＳ左旋円偏波とＣＳ左旋円偏波も利用される。
【００４５】
ＬＮＢ３１は衛星放送信号を第一受信機１が受信できる周波数に変換する。ＬＮＢ３１は右旋円偏波には局部周波数として１０．６７８ＧＨｚを発振し、左旋円偏波には局部周波数として９．５０５ＧＨｚを発振する。右旋円偏波と左旋円偏波が異なった局部周波数で周波数変換することでＬＮＢ３１はＢＳ右旋円偏波とＣＳ右旋円偏波とＢＳ左旋円偏波とＣＳ左旋円偏波を変換した衛星ＩＦ信号を出力する。
【００４６】
第一受信機１はＬＮＢ３１から衛星ＩＦ信号を受信し当該衛星ＩＦ信号または第二帯域信号の一方を出力する。図３に示される仕様形態において、第一受信機１は他の衛星放送受信機である第二受信機２に衛星ＩＦ信号または第二帯域信号を出力する。第二受信機２は第一受信機１が出力する衛星ＩＦ信号または第二帯域信号を受信する外部受信機であり、例えばテレビジョンチューナ、テレビジョン受像機、録画機などの衛星放送受信機である。
【００４７】
ここで、図４を参照しながら、第一受信機１における衛星ＩＦ信号の処理方法について説明する。
【００４８】
まず、第一受信機１の第一制御回路２１は、ユーザの操作に基づく操作信号の入力の有無を判断する（Ｓ１）。具体的には、第一制御回路２１は、操作入力部２０からの信号に基づいて、操作信号の入力の有無を判断する。例えば、ユーザは、第一受信機１から衛星ＩＦ信号つまり、第一帯域信号及び第二帯域信号を含む信号又は帯域制限信号が入力される第二受信機２の仕様に基づいて操作信号を入力する。つまり、第二受信機２が、第一帯域信号に対応していない衛星放送受信機である場合には、ユーザは、第一受信機１に帯域制限信号を出力させることを指示する操作信号を入力する。一方、第二受信機２が、第一帯域信号に対応している衛星放送受信機である場合には、ユーザは、第一受信機１に衛星ＩＦ信号を出力させることを指示する操作信号を入力する。
【００４９】
第一制御回路２１は、操作信号の入力があったと判断した場合（Ｓ１でＹＥＳ）、当該操作信号に対応する制御信号をスイッチ１５に出力する（Ｓ２）。一方、第一制御回路２１は、操作信号の入力がなかったと判断した場合（Ｓ１でＮＯ）、再度ステップＳ１を実行する。
【００５０】
制御信号がスイッチ１５に入力されると、スイッチ１５は、当該制御信号が帯域制限実行を指示する制御信号か否かを判断する（Ｓ３）。スイッチ１５は、当該制御信号が帯域制限実行を指示する制御信号であると判断した場合（Ｓ３でＹＥＳ）、帯域制限処理を実行し、帯域制限信号を出力する（Ｓ４）。一方、スイッチ１５は、当該制御信号が帯域制限実行を指示する制御信号でないと判断した場合（Ｓ３でＮＯ）、帯域制限処理を実行せず、入力された衛星ＩＦ信号をそのまま出力する（Ｓ５）。
【００５１】
以上のように、本実施の形態に係る第一受信機１は、ユーザの操作に基づいて、入力された衛星ＩＦ信号のうち実質的に第一帯域信号のパワーだけを選択的に低下させて出力することができる。これにより、第一受信機１は、第一帯域信号に対応していない外部受信機には、衛星ＩＦ信号のうち第一帯域信号のパワーを低下させた帯域制限信号を出力することができる。このため、第一帯域信号に対応していない外部受信機において、第一帯域信号が入力されることによって生じ得る相互変調歪みなどの問題を低減することができる。
【００５２】
一方、第一受信機１は、第一帯域信号に対応している外部受信機には、第一帯域信号を含む衛星ＩＦ信号を出力することができる。このため、第一帯域信号に対応している外部受信機において、第一受信機１から第一帯域信号を受信し、第一帯域信号を処理することができる。
【００５３】
［１−３．効果等］
以上のように、本実施の形態に係る第一受信機１は、衛星放送受信アンテナ３から出力される第一帯域信号及び第一帯域信号より周波数が低い第二帯域信号を含む放送信号を受信する衛星放送受信機である。第一受信機１は、衛星ＩＦ信号が入力され、衛星ＩＦ信号を処理する第一チューナ１８、第二チューナ１９を備える。また、第一受信機１は、衛星ＩＦ信号が入力され、衛星ＩＦ信号に対して第一帯域信号のパワーを低下させる帯域制限処理を実行し、帯域制限処理が実行された帯域制限信号を出力するスイッチ１５をさらに備える。
【００５４】
これにより、第一受信機１は第二帯域のパワーを低下させた帯域制限信号を第一チューナ１８に供給、第一帯域のパワーを低下させた帯域制限信号を第二チューナ１９に供給することができる。このため第二チューナ１９は当該信号の高周波数帯域の部分つまり、第一帯域信号に起因する問題の発生を低減できる。更に第一チューナ１８は当該信号の低周波数帯域の部分つまり第二帯域信号に起因する問題の発生を低減できる。また第一受信機１は、第一帯域信号に対応していない外部受信機には、衛星ＩＦ信号のうち第一帯域信号のパワーを低下させた帯域制限信号を出力することができる。このため、第一受信機１から出力される信号を受信する外部受信機における、当該信号の高周波数帯域の部分つまり、第一帯域信号に起因する問題の発生を低減できる。更に第一受信機１はＬＰＦ１６の信号を出力すると共にスイッチ１５に出力するため部品点数を少なくし小型化にすることができる。
【００５５】
また、本実施の形態に係る第一受信機１において、スイッチ１５は、衛星ＩＦ信号及び帯域制限信号の一方を選択的に出力してもよい。
【００５６】
これにより、第一受信機１は、第一帯域信号に対応している外部受信機には、第一帯域信号を含む衛星ＩＦ信号を出力することができる。このため、第一受信機１から信号を受信する外部受信機において、第一帯域信号を含む衛星ＩＦ信号を受信し、第一帯域信号を処理することができる。
【００５７】
また、本実施の形態に係る第一受信機１において、スイッチ１５は、ユーザの操作に基づいて、衛星ＩＦ信号及び帯域制限信号の一方を選択的に出力してもよい。
【００５８】
これにより、ユーザは、第一受信機１から信号を受信する外部受信機の仕様に応じて、第一受信機１を操作することにより、当該外部受信機における第一帯域信号に起因する問題の発生を低減できる。また、本実施の形態に係る第一受信機１において、第一帯域信号は、２２２４ＭＨｚ以上、３２２４ＭＨｚ以下の帯域の信号を含み、第二帯域信号は、１０３２ＭＨｚ以上、２０７１ＭＨｚ以下の帯域の信号を含んでもよい。
【００５９】
これにより、第一受信機１から、４Ｋ・８Ｋ実用放送に対応していない外部受信機に帯域制限信号を出力することで、当該外部受信機において、第一帯域信号に起因する問題の発生を低減することができる。また、当該外部受信機が受信する帯域制限信号においては、ＩＳＭバンドの信号のパワーも低減されている。そのため、当該衛星放送受信機におけるＩＳＭバンドの信号に起因する問題の発生も低減できる。
（実施の形態２）
次に、実施の形態２に係る衛星放送受信機について説明する。実施の形態１に係る衛星放送受信機の一例である第一受信機１では、ユーザの操作に基づいて出力する信号が選択された。一方、本実施の形態に係る衛星放送受信機では、当該衛星放送受信機からの信号を受信する外部受信機から出力される機器間信号に基づいて出力する信号が選択される。以下、本実施の形態について、上記実施の形態１と相違する構成を中心に説明し、共通する構成については説明を省略する。
【００６０】
［２−１．構成］
まず、本実施の形態に係る衛星放送受信機の一例である第一受信機の構成について図面を用いて説明する。
【００６１】
図５は、本実施の形態に係る第一受信機５０１の機能構成を示すブロック図である。図５には、第一受信機５０１から信号を受信する外部受信機である第二受信機５０２のブロック図も合わせて示されている。
【００６２】
第一受信機５０１は、本実施の形態に係る衛星放送受信機の一例であり、衛星放送受信アンテナから出力される第一帯域信号及び第一帯域信号より周波数が低い第二帯域信号を含む信号である衛星ＩＦ信号を受信する。第一受信機５０１は、実施の形態１に係る第一受信機１と同様に、放送信号に対して第一帯域信号のパワーを低下させる帯域制限処理を実行し、帯域制限処理が実行された帯域制限信号を出力する機能を有する。
【００６３】
図５に示されるように、第一受信機５０１は、機能的には、入力端子５１０、分配器５１１、分配器５１２、ＨＰＦ５１３、出力端子５１４、スイッチ５１５、ＬＰＦ５１６、分配器５１７、第一チューナ５１８、第二チューナ５１９、第一制御回路５２１及び第一通信部５２２を備える。
【００６４】
第一制御回路５２１は、スイッチ５１５を制御する処理部である。本実施の形態では、第一制御回路５２１は、第一通信部５２２からの信号に基づいてスイッチ５１５に制御信号を出力する。第一制御回路５２１は、当該制御信号を用いてスイッチ５１５を制御する。第一制御回路５２１は、プロセッサなどを備える処理回路である。
【００６５】
第一通信部５２２は、第一受信機５０１から衛星ＩＦ信号又は帯域制限信号を受信する外部受信機との通信を行う通信部である。本実施の形態では、第一通信部５２２は、外部受信機の一例である第二受信機５０２から機器間信号を受信し、当該機器間信号に対応する信号を第一制御回路５２１に出力する。機器間信号には、第二受信機５０２が、第一帯域信号に対応する衛星放送受信機であるか否かを示す信号が含まれる。機器間信号を第二受信機５０２から第一通信部５２２に送信する具体的な通信手段としては、例えば、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）のリンク機能、ＨＤＭＩの機器間認証において用いられるＥＤＩＤ（Ｅｘｔｅｎｄｅｄ  Ｄｉｓｐｌａｙ  Ｉｄｅｎｔｉｆｉｃａｔｉｏｎ  Ｄａｔａ）などを用いてもよいし、他の通信手段を用いてもよい。
【００６６】
図５に示される第二受信機５０２は、第一受信機５０１から衛星ＩＦ信号又は帯域制限信号を受信する外部受信機の一例である。第二受信機５０２は、第二帯域信号に対応する衛星放送受信機である。第二受信機５０２は、第一帯域信号に対応してもよいし、対応しなくてもよい。本実施の形態では、第二受信機５０２は、例えば、第一受信機５０１とは異なるシールドケースに内蔵されている受信機である。
【００６７】
第二受信機５０２は、機能的には、第三チューナ５２３、第二制御回路５２４及び第二通信部５２５を備える。
【００６８】
第三チューナ５２３は、第一受信機５０１から衛星ＩＦ信号又は帯域制限信号が入力され、入力された信号を処理する信号処理回路である。具体的には、第三チューナ５２３は、入力された信号のうち、所定の周波数の信号を選択し、当該選択した信号を復調する機能を有する。第三チューナ５２３は、例えば、プロセッサなどが集積化された衛星放送用のチューナＩＣである。
【００６９】
第二制御回路５２４は、第三チューナ５２３を制御する処理部である。第二制御回路５２４は、プロセッサなどを備える処理回路である。
【００７０】
第二通信部５２５は、第一受信機５０１との通信を行う通信部である。本実施の形態では、第二通信部５２５は、第一受信機５０１に機器間信号を出力する。機器間信号には、第二受信機５０２が第一帯域信号に対応する衛星放送受信機であるか否かを示す信号が含まれる。
【００７１】
本実施の形態に係る衛星放送受信機の一例である第一受信機５０１は、以上のような構成を備えることにより、第二受信機５０２から出力される機器間信号に基づいて、入力された衛星ＩＦ信号のうち実質的に第一帯域信号のパワーだけを選択的に低下させて出力することができる。
【００７２】
［２−２．動作］
次に、本実施の形態に係る第一受信機５０１における衛星ＩＦ信号の処理方法について図面を用いて説明する。
【００７３】
図６は、本実施の形態に係る第一受信機５０１における衛星ＩＦ信号の処理方法を示すフローチャートである。
【００７４】
図６に示されるように、まず、第一受信機５０１の第一制御回路５２１は、外部受信機からの機器間信号の入力の有無を判断する（Ｓ６１）。具体的には、第一制御回路５２１は、第一通信部５２２からの信号に基づいて、機器間信号の入力の有無を判断する。例えば、第一受信機５０１から衛星ＩＦ信号又は帯域制限信号が入力される外部受信機（例えば、図５に示される第二受信機５０２）は、自機の仕様に基づいた機器間信号を出力する。つまり、外部受信機は、第一帯域信号に対応しているか否かを示す機器間信号を出力する。
【００７５】
第一制御回路５２１は、機器間信号の入力があったと判断した場合（Ｓ６１でＹＥＳ）、当該機器間信号に対応する制御信号をスイッチ５１５に出力し、当該制御信号に対応する制御信号をスイッチ５１５に出力する（Ｓ６２）。一方、第一制御回路２１は、操作信号の入力がなかったと判断した場合（Ｓ６１でＮＯ）、再度ステップＳ６１を実行する。
【００７６】
図６に示されるステップＳ６３〜Ｓ６５は、それぞれ、実施の形態１に係る第一受信機１における衛星ＩＦ信号の処理方法のステップＳ３〜Ｓ５と同様である。
【００７７】
以上のように、本実施の形態に係る第一受信機５０１は、外部受信機が出力する機器間信号に基づいて、入力された衛星ＩＦ信号のうち実質的に第一帯域信号のパワーだけを選択的に低下させて出力することができる。これにより、第一受信機５０１は、第一帯域信号に対応していない外部受信機には、衛星ＩＦ信号のうち第一帯域信号のパワーを低下させた帯域制限信号を出力することができる。このため、第一帯域信号に対応していない衛星放送受信機において、第一帯域信号を受信することによって生じ得る相互変調歪みなどの問題を低減することができる。
【００７８】
一方、第一受信機５０１は、第一帯域信号に対応している外部受信機には、第一帯域信号を含む衛星ＩＦ信号を出力することができる。このため、第一帯域信号に対応している外部受信機において、第一帯域信号を受信及び処理することができる。
【００７９】
［２−３．効果等］
以上のように、本実施の形態に係る衛星放送受信機の一例である第一受信機５０１においては、スイッチ５１５は、衛星ＩＦ信号又は帯域制限信号を受信する外部受信機である第二受信機５０２から出力される機器間信号に基づいて、衛星ＩＦ信号及び帯域制限信号の一方を選択的に出力する。
【００８０】
これにより、外部受信機の仕様に応じて自動的に衛星ＩＦ信号又は帯域制限信号を切り替えて出力することができる。
【００８１】
（他の実施の形態）
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８２】
また、上述の実施の形態は、本開示における技術を例示するためのものであるから、特許請求の範囲またはその均等の範囲において種々の変更、置き換え、付加、省略などを行うことができる。つまり、本開示の主旨を逸脱しない限り、当業者が思いつく各種変形を上記実施の形態に施したものや、実施の形態における一部の構成要素を組み合わせて構築される別の形態も、本開示の範囲内に含まれる。
【００８３】
また、上記各実施の形態に係る第一受信機が受信する第一帯域信号及び第二帯域信号の各周波数帯域は、上記のＢＳ放送及びＣＳ放送に対応する各周波数帯域に限定されない。第一受信機は、他の衛星ＩＦ信号の周波数帯域を受信する衛星放送受信機であってもよい。
【００８４】
また、実施の形態２に係る第一受信機５０１と第二受信機５０２とは、同一のシールドケースに内蔵されてもよい。さらに、第一受信機５０１と第一帯域信号に対応していない第二受信機５０２とを同一のシールドケースに内蔵する場合には、第一受信機５０１のスイッチ５１５は、帯域制限信号だけを出力すればよい。つまり、衛星ＩＦ信号を出力する機能を有しなくてもよい。
【００８５】
また、実施の形態２において、機器間信号を第二受信機５０２から第一通信部５２２に送信する具体的な通信手段として、ＨＤＭＩなどを用いる例を示したが、当該通信手段は、これに限定されない。例えば、第一受信機５０１のスイッチ５１５と、第二受信機５０２の第三チューナ５２３とを接続する同軸ケーブルなどの信号線を介して、第二受信機５０２の第二制御回路５２４から、第一受信機５０１の第一制御回路５２１に機器間信号を送信してもよい。例えば、第一制御回路５２１が第二制御回路５２４からパルス状の機器間信号を受信する場合に、外部受信機である第二受信機５０２が第一帯域信号に対応していると判断してもよい。また、第一制御回路５２１が第二制御回路５２４からパルス状の機器間信号を受信しない場合に、外部受信機である第二受信機５０２が第一帯域信号に対応していないと判断してもよい。また、この場合、第一受信機５０１及び第二受信機５０２は、それぞれ第一通信部５２２及び第二通信部５２５を備えなくてもよい。このような第一受信機５０１によれば、簡素化された構成で、自動的に衛星ＩＦ信号又は帯域制限信号を切り替えて出力することができる。
【００８６】
また、本開示における技術は、衛星放送受信機及び放送信号の処理方法として実現できるだけでなく、放送信号の処理方法をステップとして含むプログラム、及び、そのプログラムを記録したコンピュータ読み取り可能なＤＶＤ（Ｄｉｇｉｔａｌ  Ｖｅｒｓａｔｉｌｅ  Ｄｉｓｃ）等の記録媒体として実現することもできる。
【産業上の利用可能性】
【００８７】
本開示は、衛星放送を受信する衛星放送受信機などに適用可能である。例えば４Ｋ・８Ｋ実用化放送に関するチューナ、テレビジョン受像機、録画機などの衛星放送受信機に、本開示は適用可能である。
【符号の説明】
【００８８】
１、５０１  第一受信機
２、５０２  第二受信機
３  衛星放送受信アンテナ
１０、５１０  入力端子
１１、５１１  分配器
１２、５１２  分配器
１３、５１３  ＨＰＦ
１４、５１４  出力端子
１５、５１５  スイッチ
１６、５１６  ＬＰＦ
１７、５１７  分配器
１８、５１８  第一チューナ
１９、５１９  第二チューナ
２０  操作入力部
２１、５２１  第一制御回路
３１  ＬＮＢ
５２２  第一通信部
５２３  第三チューナ
５２４  第二制御回路
５２５  第二通信部
【図１】
2018107639.tif 000003
【図２】
2018107639.tif 000004
【図３】
2018107639.tif 000005
【図４】
2018107639.tif 000006
【図５】
2018107639.tif 000007
【図６】
2018107639.tif 000008